(57)【特許請求の範囲】
【請求項１】
収集した多数の電子情報の中から指定された評価対象のテーマに関係する情報が記載された複数の電子情報を検索して、検索結果を表示出力する情報検索装置において、
前記収集した多数の電子情報のうち批評表現が記載された１つ以上の電子情報を抽出する電子情報抽出手段と、
この電子情報抽出手段で抽出された批評表現が記載された各電子情報の前記テーマに対する類似度を、当該電子情報における当該テーマの記載頻度に基づいて算出する類似度算出手段と、
前記収集した多数の電子情報毎に当該電子情報内で引用された参照電子情報を記憶する参照電子情報データベースを作成する参照電子情報データベース作成手段と、
前記類似度算出手段で高い類似度が算出された電子情報を参照すべきと記載した内容を有する参照電子情報を前記参照電子情報データベースから検索する参照電子情報検索手段と、
前記類似度算出手段で高い類似度が算出された電子情報の内容を抽出する内容抽出手段と、
前記テーマ、当該テーマに対する類似度が高い各電子情報の内容、及び当該各電子情報毎に設けられた参照リンクを表示する第１の検索結果表示手段と、
前記参照リンクのリンク操作に応じて、当該参照リンクを付された電子情報を参照すべきと記載した参照電子情報を表示する第２の検索結果表示手段と
を備えたことを特徴とする情報検索装置。
【請求項２】
前記テーマ、当該テーマに対する類似度が高い各電子情報の内容、及び当該各電子情報を参照すべきと記載した参照電子情報の数を表示する第３の検索結果出力手段を
備えたことを特徴とする請求項１記載の情報検索装置。
【請求項３】
収集した多数の電子情報の中から指定された評価対象のテーマに関係する情報が記載された複数の電子情報を検索して、検索結果を表示出力する情報検索装置に組込まれたプログラムを記憶する記憶媒体であって、前記プログラムはコンピュータに対して、
前記収集した多数の電子情報のうち批評表現が記載された１つ以上の電子情報を抽出する電子情報抽出ステップと、
この電子情報抽出ステップで抽出された批評表現が記載された各電子情報の前記テーマに対する類似度を、当該電子情報における当該テーマの記載頻度に基づいて算出する類似度算出ステップと、
前記収集した多数の電子情報毎に、当該電子情報内で引用された参照電子情報を記憶する参照電子情報データベースを作成する参照電子情報データベース作成ステップと、
前記類似度算出ステップで高い類似度が算出された電子情報を参照すべきと記載した内容を有する参照電子情報を前記参照電子情報データベースから検索する参照電子情報検索ステップと、
前記類似度算出ステップで高い類似度が算出された電子情報の内容を抽出する内容抽出ステップと、
前記テーマ、当該テーマに対する類似度が高い各電子情報の内容、及び当該各電子情報毎に設けられた参照リンクを表示する第１の検索結果表示ステップと、
前記参照リンクのリンク操作に応じて、当該参照リンクを付された電子情報を参照すべきと記載した参照電子情報を表示する第２の検索結果表示ステップと
を実現させるためのコンピュータ読取可能なプログラムを記憶した記憶媒体。
【発明の詳細な説明】
【０００１】
【発明の属する技術分野】
本発明は、膨大な量の電子情報からユーザが指定したテーマに関する電子情報を検索して該当ユーザに提供する情報検索技術に係わり、特に当該テーマに対する批評が記述された電子情報を検索する情報検索装置及びプログラムを記憶した記憶媒体に関する。
【０００２】
【従来の技術】
近年、ワードプロセッサーや電子計算機の普及、インターネットなどの計算機ネットワークを介したＷｅｂページ、電予メール、電予ニュースの普及に伴い、文書の電子化が加速的に進みつつある。電予出版という言葉が示すように、今後は新聞、雑誌や本の情報も電子的に提供されることが一般的になると考えられる。
【０００３】
これにより、個人にとってリアルタイムで入手可能となる前述したＷｅｂページ、電予メール、電予ニュースや電予出版物等の電子情報の量は膨大になっていくと予測される。これに伴い、Ｗｅｂページ、新聞、雑誌などの膨大な電子情報からユーザの要求・興味にあったものを選出してユーザに提供する検索サービス、また検索した結果を定期的にユーザに提供する情報フィルタリングサービスなどの霞要が高まりつつある。以降、本明細書では、情報検索という用語は、情報フィルタも含んだ意味で使用する。
【０００４】
これまで、テキスト記事を対象とした情報フィルタリングシステムがすでに開発されており、そのシステムを用いたサービスを提供している例がある（特開平１１―５３３９２号公報）。
【０００５】
このシステムでは、当日発生した記事の配信を複数のニュースソースから受け、予めユーザが指定した検索条件に適合するテキスト記事のみを利用者に送信するものである。この検索条件とは、ユーザがある特定のテーマに対して記述した電子情報を得たいと希望した場合、このテーマをキーワードとして、各電子情報を検索するための検索条件である。
【０００６】
そして、検索条件と配信された電子情報との間で、その検索条件に対してどのくらい適合しているかを示す類似度を算出する。具体的には、類似度は例えば前述したテーマの発生回数や発生の重要度を示す。そして、類似度を求め、類似度の高い電子情報の順にソートし、類似度の高い電子情報のみをユーザに提供する。
【０００７】
【発明が解決しようとする課題】
しかしながら、上述したシステムにおいてもまだ解消すべき次のような課題があった。
【０００８】
すなわち、上述したように、上述したシステムにおいては、ユーザが指定したテーマに関連する電子情報を該当ユーザに提供することが可能である。しかし、そのテーマに関する評価や批判等の批評に関して記述した電子情報のみを抽出してユーザに提供することはできなかった。
【０００９】
本発明はこのような事情に鑑みてなされたものであり、ユーザが指定したテーマに関する情報が記載された電子情報の中から該当テーマに対する批評が記載された電子情報のみを確実に検索できる情報検索装置及びプログラムを記憶した記憶媒体を提供することを目的とする。
【００１０】
さらに、該当テーマに対する批評が記載された電子情報を参照すべきと記載した電子情報をも検索することにより、該当テーマに対する世間の批評をより正確に定量的に把握できる情報検索装置及びプログラムを記憶した記憶媒体を提供することを目的とする。
【００１１】
【課題を解決するための手段】
上記課題を解決するために、本発明は、収集した多数の電子情報の中から指定された評価対象のテーマに関係する情報が記載された複数の電子情報を検索して、検索結果を表示出力する情報検索装置において、
収集した多数の電子情報のうち批評表現が記載された１つ以上の電子情報を抽出する電子情報抽出手段と、この電子情報抽出手段で抽出された批評表現が記載された各電子情報のテーマに対する類似度を、当該電子情報における当該テーマの記載頻度に基づいて算出する類似度算出手段と、収集した多数の電子情報毎に当該電子情報内で引用された参照電子情報を記憶する参照電子情報データベースを作成する参照電子情報データベース作成手段と、類似度算出手段で高い類似度が算出された電子情報を参照すべきと記載した内容を有する参照電子情報を参照電子情報データベースから検索する参照電子情報検索手段と、類似度算出手段で高い類似度が算出された電子情報の内容を抽出する内容抽出手段と、テーマ、当該テーマに対する類似度が高い各電子情報の内容、及び当該各電子情報毎に設けられた参照リンクを表示する第１の検索結果表示手段と、参照リンクのリンク操作に応じて、当該参照リンクを付された電子情報を参照すべきと記載した参照電子情報を表示する第２の検索結果表示手段とを備えている。
【００１２】
このように構成された情報検索装置においては、収集した多数の電子情報の中から批評表現を含む電子情報が抽出されて、この抽出された各電子情報の中から、例えばこの装置のユーザが指定するテーマに対する類似度が高い電子情報が該当テーマと共に編集されて出力される。
【００１３】
したがって、この装置のユーザとしては、自己が指定したテーマに対する批評及び該当批評を載せた電子情報の名称やアドレスを確実に把握できる。
また、類似度が高い電子情報を参照すべきと記載した内容を有する参照電子情報を検索する参照電子情報検索手段を付加している。
すなわち、電子情報の記述内容には参照すべき電子情報の名称又はアドレスが記載されていることがしばしばある。このように、自己以外の他の電子情報に参照すべきと記載された電子情報はより多くの注目が注がれることになる。
例えば、販売開始した新商品の反響を評価する場合、該当新商品（テーマ）を直接批評した電子情報の他に、「この新商品の批評がｘｘｘの電子情報に載っているよ」と記載した電子情報が存在する。
したがって、このテーマを批評する電子情報を参照すべきと記述した電子情報、すなわち参照電子情報の名称又はアドレスやその参照電子情報数を把握することはユーザが指定するテーマに対する世間の反響を高い精度で得る上で重要なことである。
【００１４】
また、別の発明は、上述した発明の情報検索装置に対して、さらに、テーマ、当該テーマに対する類似度が高い各電子情報の内容、及び当該各電子情報を参照すべきと記載した参照電子情報の数を表示する第３の検索結果出力手段を備えている。
【００１６】
したがって、ユーザが指定したテーマに対する批評が記載されている電子情報をより効率的に検索できる。
【００３２】
また、別の発明は、収集した多数の電子情報の中から指定された評価対象のテーマに関係する情報が記載された複数の電子情報を検索して、検索結果を表示出力する情報検索装置に組み込まれたプログラムを記憶する記憶媒体であって、プログラムはコンピュータに対して、収集した多数の電子情報のうち批評表現が記載された１つ以上の電子情報を抽出する電子情報抽出ステップと、この電子情報抽出ステップで抽出された批評表現が記載された各電子情報の前記テーマに対する類似度を、当該電子情報における当該テーマの記載頻度に基づいて算出する類似度算出ステップと、収集した多数の電子情報毎、当該電子情報内で引用された参照電子情報を記憶する参照電子情報データベースを作成する参照電子情報データベース作成ステップと、類似度算出ステップで高い類似度が算出された電子情報を参照すべきと記載した内容を有する参照電子情報を参照電子情報データベースから検索する参照電子情報検索ステップと、類似度算出ステップで高い類似度が算出された電子情報の内容を抽出する内容抽出ステップと、テーマ、当該テーマに対する類似度が高い各電子情報の内容、及び当該各電子情報毎に設けられた参照リンクを表示する第１の検索結果表示ステップと、参照リンクのリンク操作に応じて、当該参照リンクを付された電子情報を参照すべきと記載した参照電子情報を表示する第２の検索結果表示ステップとを実現させる。
【００３５】
このように構成されたプログラムを記憶した記憶媒体を用いることによって、例えば、汎用のパーソナルコンピユータを簡単に上述した機能を有した情報検索装置とすることが可能である。
【００３６】
【発明の実施の形態】
以下、本発明の各実施形態を図面を用いて説明する。
（第１実施形態）
図１は本発明の第１実施形態に係る情報検索装置のハード構成図であり、図２は同第１実施形態の情報検索装置のソフト構成図である。
【００３７】
図１に示すように、この第１実施形態の情報検索装置は、オペレーティングシステム（ＯＳ）やユーティリティを含む各種アプリケーションプログラム（検索処埋を行なう各種プログラムもこれらに含まれる）を実行制御するＣＰＵＩと、このＣＰＵＩに対して、システムバス２を介して接続された、アプリケーシヨンプログラムや各種データを格納する記億装置３、通信ネットワーク４を介して多数のＷｅｂサイト（Ｗｅｂサーバ）から各種電子情報（Ｗｅｂページ）を読込むための回線入出力装置５からなる。
【００３８】
図２に示す第１実施形態の情報検索装置のソフト構成図において、各部の動作を制御する制御部１１に対して、通信ネットワーク４を介して多数のＷｅｂサイト（Ｗｅｂサーバ）から各種電子情報（Ｗｅｂページ）を取込む情報取得部１２、書式解析部１３、批評表現辞書１４を有する電子情報抽出手段としての批評表現抽出部１５、検索対象テーマメモリ１６に記憶されたテーマの検索式１７を用いて各電子情報（Ｗｅｂページ）の類似度を算出する類似度算出部１８、検索結果編集部１９、編集された検索結果を例えばユーザに送信したり、表示器に表示出力する出力部２０が接続されている。
【００３９】
次に各部１２〜２０の動作を説明する。
【００４０】
情報取得部１２は、自己に内蔵したホームページ検索ソフトに従って無作為に又は一定の方式に従って、通信ネットワーク４を介して各Ｗｅｂサイト（Ｗｅｂサーバ）から電子情報としてのＨＴＭＬ形式の文書が記載されたページ（Ｗｅｂページ）を順次取込んで制御部１１へ送出する。
【００４１】
書式解析部１３は、ページにおけるＨＴＭＬ形式の文書のデータに付与されている各タグに基づいて、該当ページの情報を通常の内部構造の文書に変換する。ＨＴＭＬは、ＳＧＭＬのサブセットであり、一般に、開始タグと終了タグによって論理的な構造を規定している。
【００４２】
例えば、ＨＴＭＬでは、開始タグ＜ＴＩＴＬＥ＞と終了タグ＜／ＴＩＴＬＥ＞とに囲まれた部分が夕イトルであり、また、開始タグ＜ＵＬ＞と終了タグ＜／ＵＬ＞とに囲まれた部分が箇条書きと定義されている。また、段落を規定する＜Ｐ＞や、箇条書きの各項目を表現する＜ＬＩ＞のように、終了タグを省略してよいタグも存在する。これらのタグについては、同じ開始タグが出現した時点で終了タグが存在したものと見なされる。
【００４３】
書式解析部１３では、入力されたページの文字列をスキャンしてＨＴＭＬの開始タグを検出する。そして、その開始夕グに対応する終了タグを検出することにより、各タグに対応する情報を取り出す。
【００４４】
電子情報抽出手段としての批評表現抽出部１５の処理は批評表現辞書１４を使用する。批評表現辞書１４内には、図３に示すように、批判や評価等の多数の批評表現（ワード）が登録されている。
【００４５】
批評表現抽出部１３の処理手順を図４の流れ図を用いて説明する。
制御部１１から１つのページが入力すると（ステップＡ１）、該当ページを批評表現辞書１４に登録されている各表現（ワード）で検索する（Ａ２）。そして、批評表現の有無を判定する（Ａ３）。その有無判定結果を制御部１１へ返信する。
【００４６】
次に、類似度算出部１８の処理を説明する。検索対象テーマメモリ１６内には、この情報検索装置のユーザや検索依頼者が指定する消費者や世間の批評を調査する対象となる各テーマが記憶されている。例えば、このテーマとして、業界名、商品ジャンル名、商品名、サービス名、会社名、社長名、役員名等がある。
【００４７】
そして、この検索対象テーマメモリ１６内からユーザが指定した１個または複数のテーマをそれぞれ各検索式１７に組込む。
【００４８】
そして、類似度算出部１８においては、制御部１１から入力された各ページに対して各検索式１７のテーマの発生数や発生の重要度を示す類似度を算出して制御部１１へ返信する。具体的には、例えば検索式１７に格納されたテーマを含む検索条件と処理対象となるページとをそれぞれ単語頻度のベクトルとして表現し、これらベクトル間の内積をとることによって類似度を求めるといった従来公知の算出方法を流用する。
【００４９】
次に、検索結果編集部１９の編集処理動作を図５の流れ図を参照して説明する。
制御部１１から類似度が付された各ページが入力されると、この各ページを類似度順にソートする（Ｂ１）。次に、このソーティング結果の順に、各ページの見出しを箇条書きの形式で編集する（Ｂ２）。さらに、ページの地の文（本文）から要約を生成して編集する（Ｂ３）．要約の生成としては、例えば、ページの前方から数文を取り出すといった簡単な処理でもよい。最後に、編集結果を制御部１１へ返信する（Ｂ４）。
【００５０】
出力部２０は、制御部１１からの指示に従って編集済みの検索結果を例えばユーザにメールで送信したり、表示器に表示出力する。図６及び図７は、表示器に表示出力された検索結果を示す図である。図６は検索結果の目次画面であり、この目次画面に表示された「Ａ社」、「ＯＯ製品」、「ΔΔサービス」等のテーマをマウスで選択すると、図７に示す検索結果が表示される。
【００５１】
なお、図７においては、「ノートパソコンＮＩ」のテーマ２１を選択した例を示す。図示するように、テーマ２１と、検索された各ページの見出し２２と、ページを特定するアドレス２３と、本文の要約２４が表示される。
【００５２】
なお、本実施形態では、表示器の表示画面に対してＨＴＭＬブラウザで表示することを想定しているため、ＨＴＭＬ形式で検索結果を出力している。これは、検索処理で検索された文書のオリジナルをアクセスする場合に、その文書形式との統一性を図るためである。したがって、必ずしもＨＴＭＬブラウザに限定するものでなく、特殊なブラウザで取込める形式のデータに変換するように変形することはごく容易である。
【００５３】
次に、上述した各部１２〜２０を制御する制御部１１の処理動作を図８の流れ図を用いて説明する。
先ず、情報取得部１２へアクセスして（Ｃ１）、情報取得部１２から１つの電子情報としてのページ（Ｗｅｂページ）が入力されると（Ｃ２）、このページ（Ｗｅｂページ）を書式解析部１３へ送出して通常の文書のページに変換した後（Ｃ３）、批評表現抽出部１５へ送出する（Ｃ４）。該当ページに批評表現が存在しなければ（Ｃ５）、このページを破棄して、Ｃ１に戻り、次のページの取得を開始する。
【００５４】
該当ページに批評表現が存在すれば（Ｃ５）、このページを類似度算出部１８へ送出して（Ｃ６）、類似度を得る。そして、該当ページと類似度とを記憶保持する（Ｃ７）。
【００５５】
Ｃ２において、取得対象の全部のページに対する批評表現無判定処理、及び批評表現が含まれるページの類似度算出処理が終了すると、記憶した全てのページと類似度とを検索結果編集部１９へ送出する（Ｃ８）。そして、その編集された検索結果を出力部２０へ送出する（Ｃ９）。
【００５６】
このように構成された第１実施形態の情報検索装置においては、情報取得部１２で取得された各ページのうちその内容に批評表現を含むページのみが批評表現抽出部１５で抽出される。そして、この抽出された各ページの中から、類似度算出部１８において、例えばこの情報検索装置のユーザや調査依頼者が指定する業界名、商品ジャンル名、商品名、サービス名、会社名、社長名、役員名等のテーマの発生数や発生の重要度を示す類似度が算出される。
【００５７】
そして、検索結果編集部１９にて、高い類似度のページが該当テーマと共に編集されて出力部２０にて例えば図６、図７に示すように出力される。
【００５８】
したがって、この情報検索装置のユーザや調査依頼者は、自己が指定したテーマに対する批評及び該当批評を載せたページの名称やアドレスを確実に把握できる。
【００５９】
（第２実施形態）
図９は本発明の第２実施形態に係わる情報検索装置の概略構成を示すブロック図である。図２に示す第１実施形態の情報検索装置と同一部分には同一符号を付して重複する部分の詳細説明を省略する。
この第２実施形態の情報検索装置においては、第１実施形態の情報検索装置の情報取得部１２を図示する新たな情報取得部１２ａに置き換えている。その他の構成は第１実施形態の情報検索装置とほぼ同一である。
【００６０】
この第２実施形態の情報検索装置における情報取得部１２ａ内には、通信ネットワーク４を介して指定された各Ｗｅｂサイトからページ（Ｗｅｂページ）を取得するページアクセス部２５、監視ページリスト２６、更新判定部２７、及び前回ページメモリ２８が設けられている。
【００６１】
監視ページリスト２６内には、図１０に示すように、検索対象テーマメモリ１６内に記憶された各テーマに対して比較的頻繁に批評を載せるページの各アドレス（Ｗｅｂサイト）が記憶されている。例えば、ＢＢＳサイト、チャットサイト、特定の個人ホームページサイト、フォームサイト等がある。また、ネットワークニュース（ＵＳＥＮＥＴ）、メールマガジン、フォーラムなどがある。
【００６２】
前回ページメモリ２８内には、監視ページリスト２６に記憶された各アドレスの１回分のページの内容（テキストデータ）が記憶されている。更新判定部２７は、今回の周期で取得したページの内容が前回の周期で取得したページの内容と異なったか否かを判定する。
【００６３】
このような構成の情報取得部１２ａは、例えば１日２４時間等の一定周期毎に、図１１の流れ図に従ってページの取得処理を実施する。又は、検索処理を実行する直前に取得することも可能である、
監視ページリスト２６に未アクセスのアドレスがあれば（Ｄ１）、この監視ページリスト２６から未アクセスのアドレスのホームページをアクセスして、該当ページを取得する（Ｄ２）。そして、この取得した今回ページの内容と前回ページメモリ２８に記憶されている１周期前の同一アドレスの前回ページの内容とを比較する（Ｄ３）。前回ページの内容に対して更新されていれば（Ｄ４）、今回のページを制御部１１へ送信する（Ｄ５）、そして、前回ページメモリ２８の前回ページの内容を今回ページの内容に更新する（Ｄ６）。そして、Ｄ１へ戻り、監視ページリスト２６における未アクセスのアドレスに対するアクセスを開始する。
また、Ｄ４にて、更新されていなければ、なにもせずに、Ｄ１へ戻り、監視ページリスト２６における未アクセスのアドレスに対するアクセスを開始する。
【００６４】
そして、Ｄ１にて、監視ページリスト２６に未アクセスのアドレスがなくなると、今回の周期に対する全アクセスが終了したことを制御部１１へ返信する（Ｄ７）。
【００６５】
このように、情報取得部１２ａは、監視ページリスト２６に登録された各アドレスを一定周期でアクセスして、変更（更新）のあったページのみを制御部１１へ送信している。
【００６６】
また、制御部１１の処理動作を図１２の流れ図を用いて説明する。
先ず、情報取得部１２ａへ起動指令を送出する（Ｅ１）、情報取得部１２ａから１つのページが入力されると（Ｅ２）、このページを書式解析部１３へ送出して通常の文書のページに変換した後（Ｅ３）、批評表現抽出部１５へ送出する（Ｅ４）。該当ページに批評表現が存在しなければ（Ｅ５）、このページを破棄して、Ｅ２へ戻り、次のページの入力を待つ。
【００６７】
該当ページに批評表現が存在すれば（Ｅ５）、このページを類似度算出部１８へ送出して（Ｅ６）、類似度を得る。そして、該当ページと類似度とを記憶保持する（Ｅ７）。
【００６８】
Ｅ８において、情報取得部１２ａから今回の周期におけるページのアクセス終了通知が入力すると、記憶した全てのページと類似度とを検索結果編集部１９へ送出する（Ｅ９）。そして、その編集された検索結果を出力部２０へ送出する（Ｅ１０）。
【００６９】
このように構成された第２実施形態の情報検索装置においては、ユーザが指定した各テーマに対して頻繁に批評を行うＷｅｂサイト（ホームページ）のアドレスが予め選択されており、この選択された複数のページの内容が周期的に読取られ、内容が更新されたページに対してのみ、批評表現抽出処理及び類似度算出処理が実施される。
したがって、ユーザが指定したテーマに対する批評が記載されているページをより効率的に検索できる。また、監視することが可能となる。
【００７０】
（第３実施形態）
図１３は本発明の第３実施形態に係わる情報検索装置の概略構成を示すブロック図である。図９に示す第２実施形態の情報検索装置と同一部分には同一符号を付して重複する部分の詳細説明を省略する。
【００７１】
この第３実施形態の情報検索装置においては、第２実施形態の情報検索装置の検索結果編集部１９を図示する新たな検索結果編集部１９ａに置き換え、さらに、検索結果編集部１９ａに参照ページ（参照電子情報）検索部２９が接続され、参照ページデータベース３０及び参照ページデータベース作成部３１が設けられている。その他の構成は図９に示す第２実施形態の情報検索装置とほぼ同一である。
【００７２】
参照ページデータベース３０内には、図１４に示すように、例えば、情報取得部１２ａにて取得した各ページを特定するアドレスと、該当アドレスのページの本文内に参照すべきと記載（引用）されたアドレスとが記憶されている。図１５は、１つのページ内における「ページのアドレス」と「ページ内で引用されたアドレス」との関係を示す図である。
【００７３】
例えば、２番目の「def.ne.jp/def.html」のアドレスを有するページには、「ccc.co.jp/xxx/pc.html」と「abc.ne.jp/~xxx/pcn1.html」との２つのアドレスが記載（引用）されていることを示す。
【００７４】
この参照ページデータベース３０に対する「ページのアドレス」と「ページ内で引用されたアドレス」の登録は、係員が手作業で実施してもよいが、参照ページデータベース作成部３１が自動で登録することも可能である。この場合、参照ページデータベース作成部３１は、図１９の流れ図に従って、作成処理を実施する。
【００７５】
情報取得部１２ａにて取得した各ページから１個又は複数の引用アドレスを抽出する（Ｈ１）。そして、ページのアドレスと引用アドレスとの関係を参照ページデータベース３０へ登録する（Ｈ２）。
【００７６】
具体的には、図１６において、変数「＊Ａ＊」には「abc.ne.jp/~xxx/pcnl.html」などが、参照ページとして認識されることになる。
【００７７】
参照ページ検索部２９は、検索結果編集部１９ａから指定された、テーマに対して類似度が高いページのアドレスを本文中（ページ内）に記載（引用）したページを示す参照ページを、参照ページデータベース３０を用いて検索する。したがって、参照ページデータベース３０における「ページのアドレス」が参照ページとなる。
【００７８】
そして、検索結果編集部１９ａは図１７の流れ図に従って制御部１１から入力された各ページに対する編集処理を実施する。
【００７９】
制御部１１から類似度が付された各ページが入力されると、この各ページを類似度順にソートする（Ｆ１）。次に、このソーティング結果の順に、各ページの見出しを箇条書きの形式で編集する（Ｆ２）。次に、各ページ毎に、該当ページのアドレスを本文中に引用する他のページ、すなわち参照ページを検索するための図２０、図２１に示す参照ページボタン３２を付加する。
【００８０】
次に、参照ページ検索部２９に対して、入力された各ページに対する参照ページの検索指令を送出して、各ページに対する参照ページの各アドレス（参照アドレス）を得る（Ｆ４）。このアドレスに基づいて、参照ページ検索画面を作成し（Ｆ５）、前記参照ページボタン３２からこのページへリンクする。
【００８１】
さらに、ページの地の文（本文）から要約を生成して編集する（Ｆ６）．要約の生成としては、たとえば、ページの前方から数文を取り出すといった簡単な処理でもよい。最後に、各ページの編集結果及び各ページの参照ページ（参照アドレス）の検索結果を制御部１１へ返信する（Ｆ７）。
【００８２】
参照ページ検索部２９は、図１８に示す流れ図に従って、各ページに対する参照ページの検索処理を実行する。
【００８３】
制御部１１から入力されたページのアドレスが、図１８に示す流れ図に従って、参照ページ検索結果画面を作成する。例えば、入力されたページのアドレスが「http://abc.ne.jp/~xxx/pcnl.html」の場合、「abc.ne.jp/~xxx/pcnl.html」というページを本文中に引用（記載）しているページ（参照ページ）を検索する（Ｇ１）。「abc.ne.jp/~xxx/pcnl.html」は、参照ページデータベース３０内の２番目の右欄に記載されているので、２番目の左欄に記載されているページのアドレスである「def.ne.jp/def.html」が参照ページのアドレスとなる。
【００８４】
参照ページのアドレスが検索されると（Ｇ2）、この参照ページのアドレスを検索結果編集部１９ａへ返信する（Ｇ3）。参照ページのアドレスが検索されないと（Ｇ３）、参照ページ無しを検索結果編集部１９ａへ返信する（Ｇ4）。
【００８５】
出力部２０は、制御部１１から入力された検索結果編集部１９ａで編集された各ぺージ及び各ページの参照ページを例えば表示器に表示出力する。
【００８６】
上記の説明では、参照ページの検索結果画面に対するアクセスでは、参照ページボタン３２からそのページへのリンクとしたが、直接参照ページ検索装置への検索式としてもよい。その例を図２３に示す。
【００８７】
ここで、検索式、「../cig-bin/kensaku./cig/?kw=abc.ne.jp/~xxx/pcnl.html」は、参照ページ検索装置（kensaku.cgi）に対して、「abc.ne.jp/~xxx/pcnl.html」というページを検索するように指示することを意味している。
【００８８】
図２０〜図２７にその表示出力例を示す。
【００８９】
図２０の例においては、１，２，３の各ページが類似度順に配列されているが、各ページは、見出し２２と、アドレス２３と、要約２４と、参照ページボタン３２とが表示される。図２１の例においては、図２０の例に対して参照ページボタン３２の位置が異なるのみである。
【００９０】
図２２の例においては、図２０、図２１における類似度が最も高い１番のページの参照ページボタン３２をクリックした場合における該当ページを本文中に参照すべきと引用されたページ（参照ページ）の一覧を示す。
【００９１】
図２３は、図２０をＨＴＭＬ形式で記載した例である。さらに、図２４は、参照ページ数を表示した例である。また、図２５は、各ページを参照ページ数順に並べ替えた例である。
【００９２】
図２６は、各ページにおける参照ページ数が前回の周期に比較して増加したか減少したかを示した例である。さらに、図２７は、１つのページにおける参照ページ数の時間経緯を示す図である。
【００９３】
このように構成された第３実施形態の情報検索装置においては、ユーザが指定したテーマを批評するページを本文中に参照すべきとき記述したページ、すなわち参照ページのアドレスやその参照ページ数が検索される。
【００９４】
したがって、ユーザは、自己が指定するテーマに対する世間の批評を高い精度で得ることが可能である。
【００９５】
なお、本発明は上述した各実施形態に限定されるものではない。例えば、図１３の第３実施形態の情報検索装置において、批評表現抽出部１５及び批評表現辞書１４を除去することが可能である。また、情報所得部１２ａに代えて図２に示す第１実施形態の情報検索装置における情報所得部１２を採用することが可能である。
【００９６】
このように構成された情報検索装置においては、ユーザは、自己が指定したテーマに対して、その批判や評価の批評はともかく、該当テーマにおける世間の注目度を定量的に把握できる。
【００９７】
また、上記の例では、Ｗｅｂページについて説明したが、電子メール、ニュース、そのほか種々の電子情報に対しても応用することはもちろん可能である。また、あるページを参照しているページ情報の提供は、今回の実施形態の情報検索装置のように、ページの文書を検索する装置のみに限らない。一定の文書を提供する情報提供装置の場合に関しても、文書格納表現の抽出及びそれから得られた文書格納位置をキーとした参照文書（参照ページ）の検索を行なうことにより、参照文書（参照ページ）を提供することは可能である。
【００９８】
また、この発明の手法をサーバ側で実現し、関連情報を付与した文書を電子メールで送付することも可能であるし、ユーザ側のクライアントがＨＴＴＰのプロトコルに従って読み出すように実現することも可能である。また、単純のシステムとして実現した場合には、個人のパーソナルコンピュータやワークステーション上などで動作させて、ハイパーテキストを表示するためのブラウザで読み出させることでも実現可能である。
【００９９】
なお、各実施形態に説明した各情報検索装置は、記憶媒体に格納したプログラムをコンピュータに読み込ませることで実現させることができる。
【０１００】
ここで本発明における記憶媒体としては、磁気ディスク、フロッピーディスク、ハードディスク、光ディスク（ＣＤ−ＲＯＭ、ＣＤ−Ｒ、ＤＶＤ等）、光磁気ディスク（ＭＯ等）、半導体メモリ等、プログラムを記憶でき、かつコンピュータが読み取り可能な記憶媒体であれば、その記憶形式は何れの形態であってもよい。
【０１０１】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本実施形態を実現するための各処理の一部を実行してもよい。
【０１０２】
さらに、本発明における記憶媒体は、コンピュータと独立した媒体に限らず、ＬＡＮやインターネット等により伝送されたプログラムをダウンロードして記憶又は一時記憶した記憶媒体も含まれる。
【０１０３】
また、記憶媒体は１つに限らず、複数の媒体から本実施形態における処理が実行される場合も本発明における記憶媒体に含まれ、媒体構成は何らの構成であってもよい。
【０１０４】
なお、本発明におけるコンピュータは、記憶媒体に記憶されたプログラムに基づき、本実施形態における各処理を実行するものであって、パソコン等の１つからなる装置、複数の装置がネットワーク接続されたシステム等の何れの構成であってもよい。
【０１０５】
また、本発明におけるコンピュータとは、パソコンに限らず、情報処理機器に含まれる演算処理装置、マイコン等も含み、プログラムによって本発明の機能を実現することが可能な機器、装置を総称している。
【０１０６】
【発明の効果】
以上説明したように、本発明の情報検索装置及びプログラムを記憶した記憶媒体においては、ユーザが指定したテーマに関する情報が記載されたＷｅｂページ等の電子情報の中から該当テーマに対する批評が記載された電子情報のみを確実に検索できる。
【０１０７】
さらに、該当テーマに対する批評が記載された電子情報を参照すべきと記載した電子情報をも検索している。したがって、該当テーマに対する世間の批評をより正確に定量的に把握できる。
【図面の簡単な説明】
【図１】本発明の第１実施形態に係わる情報検索装置のハード構成図
【図２】同第１実施形態に係わる情報検索装置の概略構成を示すブロック図
【図３】同第１実施形態に係わる情報検索装置に組込まれた批評表現辞書の記憶内容を示す図
【図４】同第１実施形態に係わる情報検索装置に組込まれた批評表現抽出部の処理内容を示す流れ図
【図５】同第１実施形態に係わる情報検索装置に組込まれた検出結果編集部の処理内容を示す流れ図
【図６】同第１実施形態に係わる情報検索装置に組込まれた出力部にて出力された検索結果を示す図
【図７】同第１実施形態に係わる情報検索装置に組込まれた出力部にて出力された検索結果を示す図
【図８】同第１実施形態に係わる情報検索装置に組込まれた制御部の処理内容を示す流れ図
【図９】本発明の第２実施形態に係わる情報検索装置の概略構成を示すブロック図
【図１０】同第２実施形態に係わる情報検索装置に組込まれた監視ページリストの記憶内容を示す図
【図１１】同第２実施形態に係わる情報検索装置に組込まれた情報取得部の処理内容を示す流れ図
【図１２】同第２実施形態に係わる情報検索装置に組込まれた制御部の処理内容を示す流れ図
【図１３】本発明の第３実施形態に係わる情報検索装置の概略構成を示すブロック図
【図１４】同第３実施形態に係わる情報検索装置に組込まれた参照ページデータベースの記憶内容を示す図
【図１５】ページのアドレスとページ内で引用されたアドレスとの関係を説明するための図
【図１６】ページ参照表現パターンと参照ページとの関係を示す図
【図１７】同第３実施形態に係わる情報検索装置に組込まれた検索結果編集部の処理内容を示す流れ図
【図１８】同第３実施形態に係わる情報検索装置に組込まれた参照ページ検索部の処理内容を示す流れ図
【図１９】同第３実施形態に係わる情報検索装置に組込まれた参照ページデータベース作成部の処理内容を示す流れ図
【図２０】同第３実施形態に係わる情報検索装置に組込まれた出力部にて出力された検索結果を示す図
【図２１】同第３実施形態に係わる情報検索装置に組込まれた出力部にて出力された検索結果を示す図
【図２２】同第３実施形態に係わる情報検索装置に組込まれた出力部にて出力された検索結果を示す図
【図２３】同第３実施形態に係わる情報検索装置に組込まれた出力部にて出力された検索結果を示す図
【図２４】同第３実施形態に係わる情報検索装置に組込まれた出力部にて出力された検索結果を示す図
【図２５】同第３実施形態に係わる情報検索装置に組込まれた出力部にて出力された検索結果を示す図
【図２６】同第３実施形態に係わる情報検索装置に組込まれた出力部にて出力された検索結果を示す図
【図２７】同第３実施形態に係わる情報検索装置に組込まれた出力部にて出力された検索結果を示す図
【符号の説明】
１１…制御部
１２，１２ａ…情報取得部
１３…書式解析部
１４…批評表現辞書
１５…批評表現抽出部
１６…検索対象テーマメモリ
１７…検索式
１８…類似度算出部
１９，１９ａ…検索結果編集部
２０…出力部
２１…テーマ
２５…ページアクセス部
２６…監視ページリスト
２７…更新判定部
２８…前回ページメモリ
２９…参照ページ検索部
３０…参照ページデータベース
３１…参照ページデータベース作成部
３２…参照ページボタン
【図１】
0004417497.tif 000002
【図２】
0004417497.tif 000003
【図３】
0004417497.tif 000004
【図４】
0004417497.tif 000005
【図５】
0004417497.tif 000006
【図６】
0004417497.tif 000007
【図７】
0004417497.tif 000008
【図８】
0004417497.tif 000009
【図９】
0004417497.tif 000010
【図１０】
0004417497.tif 000011
【図１１】
0004417497.tif 000012
【図１２】
0004417497.tif 000013
【図１３】
0004417497.tif 000014
【図１４】
0004417497.tif 000015
【図１５】
0004417497.tif 000016
【図１６】
0004417497.tif 000017
【図１７】
0004417497.tif 000018
【図１８】
0004417497.tif 000019
【図１９】
0004417497.tif 000020
【図２０】
0004417497.tif 000021
【図２１】
0004417497.tif 000022
【図２２】
0004417497.tif 000023
【図２３】
0004417497.tif 000024
【図２４】
0004417497.tif 000025
【図２５】
0004417497.tif 000026
【図２６】
0004417497.tif 000027
【図２７】
0004417497.tif 000028